(57)【要約】【課題】従来よりも切れ味を高め、様々なタイプの草に対して十分な切れ味を発揮することができる草刈り用ナイロンコードを提供する。【解決手段】草刈り用ナイロンコード１０は、短手方向における第１の方向に突出する突出部を長手方向に複数形成してなる第１草刈り刃１２と、第１の方向とは異なる第２の方向に突出する突出部を長手方向に複数形成してなる第２草刈り刃１４と、を有して構成されている。また、第１草刈り刃１２の突出部および第２草刈り刃１４の突出部が、長手方向において千鳥状に配置されている。【選択図】図１
0003149886.tif 000002
【実用新案登録請求の範囲】
【請求項１】
短手方向における第１の方向に突出する突出部を長手方向に複数形成してなる第１草刈り刃と、
前記第１の方向とは異なる第２の方向に突出する突出部を長手方向に複数形成してなる第２草刈り刃と、を有して構成されていることを特徴とする、
草刈り用ナイロンコード。
【請求項２】
前記第１草刈り刃の突出部および前記第２草刈り刃の突出部は、
前記長手方向において同じ位置に配置されていることを特徴とする、
請求項１に記載の草刈り用ナイロンコード。
【請求項３】
前記第１草刈り刃の突出部および前記第２草刈り刃の突出部は、
前記長手方向において千鳥状に配置されていることを特徴とする、
請求項１に記載の草刈り用ナイロンコード。
【請求項４】
前記第２草刈り刃の突出部が突出する前記第２の方向は、
前記第１草刈り刃の突出部が突出する前記第１の方向に対して１８０度反対の方向であることを特徴とする、
請求項１〜３のいずれかに記載の草刈り用ナイロンコード。
【請求項５】
前記第１の方向および前記第２の方向とは異なる第３の方向に突出する突出部を長手方向に複数形成してなる第３草刈り刃と、
前記第１の方向、前記第２の方向および前記第３の方向とは異なる第４の方向に突出する突出部を長手方向に複数形成してなる第４草刈り刃と、をさらに備え、
前記第１草刈り刃の突出部、前記第２草刈り刃の突出部、前記第３草刈り刃の突出部、および前記第４草刈り刃の突出部は、
前記長手方向において千鳥状に配置されていることを特徴とする、
請求項１〜４のいずれかに記載の草刈り用ナイロンコード。
【請求項６】
前記複数の突出部は、
短手方向断面が多角形状のナイロンコードの角の一部を削ることによって形成されることを特徴とする、
請求項１〜５のいずれかに記載の草刈り用ナイロンコード。
【考案の詳細な説明】
【技術分野】
【０００１】
本考案は、コード型草刈り装置に用いられる草刈り用ナイロンコードに関する。
【背景技術】
【０００２】
従来、コード型草刈り装置に用いられる草刈り用ナイロンコードの一つとして、凹凸形状の表面に潤滑材を塗布することによって、コードの切断やコード同士の溶着を防止可能とした草刈り用ナイロンコードが知られている（例えば、特許文献１参照）。
【先行技術文献】
【特許文献】
【０００３】
【特許文献１】実開昭６０−８５１１８号公報
【考案の概要】
【考案が解決しようとする課題】
【０００４】
しかしながら、上記特許文献１に記載の草刈り用ナイロンコードは、耐摩耗性や強度を高めることができるものの、草の種類によっては十分な切れ味を発揮することができない場合があった。
【０００５】
本考案は、このような従来の問題点を解決するためになされたものであって、従来よりも切れ味を高め、様々なタイプの草に対して十分な切れ味を発揮することができる草刈り用ナイロンコードを提供することを目的とする。
【課題を解決するための手段】
【０００６】
（１）本考案は、短手方向における第１の方向に突出する突出部を長手方向に複数形成してなる第１草刈り刃と、前記第１の方向とは異なる第２の方向に突出する突出部を長手方向に複数形成してなる第２草刈り刃と、を有して構成されていることを特徴とする、草刈り用ナイロンコードである。
【０００７】
（２）本考案はまた、前記第１草刈り刃の突出部および前記第２草刈り刃の突出部は、前記長手方向において同じ位置に配置されていることを特徴とする、上記（１）に記載の草刈り用ナイロンコードである。
【０００８】
（３）本考案はまた、前記第１草刈り刃の突出部および前記第２草刈り刃の突出部は、前記長手方向において千鳥状に配置されていることを特徴とする、上記（１）に記載の草刈り用ナイロンコードである。
【０００９】
（４）本考案はまた、前記第２草刈り刃の突出部が突出する前記第２の方向は、前記第１草刈り刃の突出部が突出する前記第１の方向に対して１８０度反対の方向であることを特徴とする、上記（１）〜（３）のいずれかに記載の草刈り用ナイロンコードである。
【００１０】
（５）本考案はまた、前記第１の方向および前記第２の方向とは異なる第３の方向に突出する突出部を長手方向に複数形成してなる第３草刈り刃と、前記第１の方向、前記第２の方向および前記第３の方向とは異なる第４の方向に突出する突出部を長手方向に複数形成してなる第４草刈り刃と、をさらに備え、前記第１草刈り刃の突出部、前記第２草刈り刃の突出部、前記第３草刈り刃の突出部、および前記第４草刈り刃の突出部は、前記長手方向において千鳥状に配置されていることを特徴とする、上記（１）〜（４）のいずれかに記載の草刈り用ナイロンコードである。
【００１１】
（６）本考案はまた、前記複数の突出部は、短手方向断面が多角形状のナイロンコードの角の一部を削ることによって形成されることを特徴とする、上記（１）〜（５）のいずれかに記載の草刈り用ナイロンコードである。
【考案の効果】
【００１２】
本考案に係る草刈り用ナイロンコードによれば、従来よりも切れ味を高め、様々なタイプの草に対して十分な切れ味を発揮することができるという優れた効果を奏し得る。
【図面の簡単な説明】
【００１３】
【図１】本実施形態に係る草刈り用ナイロンコードの一部を示した部分斜視図である。
【図２】図１におけるＡ−Ａ線に沿う断面図である。
【図３】突出部の先端部をより鋭角にした草刈り用ナイロンコードの断面図である。
【図４】第１草刈り刃の突出部および第２草刈り刃の突出部を、長手方向において同じ位置に配置した草刈り用ナイロンコードの断面図である。
【図５】他の実施形態に係る草刈り用ナイロンコードの一部を示した部分斜視図である。
【図６】（Ａ）図５におけるＡ−Ａ線に沿う断面図である。（Ｂ）図５におけるＢ−Ｂ線に沿う断面図である。
【考案を実施するための形態】
【００１４】
以下、図面を用いて、本考案の実施の形態に係る草刈り用ナイロンコードについて詳細に説明する。図１は、本実施形態に係る草刈り用ナイロンコード１０の一部を示した部分斜視図であり、図２は、図１におけるＡ−Ａ線に沿う断面図である。
【００１５】
草刈り用ナイロンコード１０は、第１草刈り刃１２と第２草刈り刃１４を有して構成されている。第１草刈り刃１２は、草刈り用ナイロンコード１０の短手方向における第１の方向（図２では上方向）に突出する突出部１２Ａを、草刈り用ナイロンコード１０の長手方向に複数並べて形成される。また、第２草刈り刃１４は、第１草刈り刃１２の突出部１２Ａの突出方向（第１の方向）に対して１８０度反対の方向である第２の方向（図２では下方向）に突出する突出部１４Ａを、草刈り用ナイロンコード１０の長手方向に複数並べて形成される。
【００１６】
本実施形態では、短手方向断面が四角形状の四角柱のナイロンコードを基材とし、この基材の長手方向の四つの角のうち、１８０度反対の位置にある（対角線上にある）二つの角に、所定の間隔を空けて千鳥状に（互い違いの位置に）楕円状の凹みを切削形成することによって、複数の突出部１２Ａ、１４Ａを形成する。これにより、図２に示すように、第１草刈り刃１２の突出部１２Ａと、第２草刈り刃１４の突出部１４Ａは、草刈り用ナイロンコード１０の長手方向に千鳥状に（互い違いの位置に）配置される。
【００１７】
換言すれば、第１草刈り刃１２の突出部（凸部）１２Ａは、草刈り用ナイロンコード１０の長手方向において、第２草刈り刃１４における楕円状の凹み（凹部）とほぼ同じ位置に形成され、かつ、第２草刈り刃１４の突出部（凸部）１４Ａは、草刈り用ナイロンコード１０の長手方向において、第１草刈り刃１２における楕円状の凹み（凹部）とほぼ同じ位置に形成される。すなわち、草刈り用ナイロンコード１０の長手方向のほぼ全域において、一方の草刈り刃の凸部と他方の草刈り刃の凹部がほぼ同じ位置に形成されるため、草刈り用ナイロンコード１０の太さをほぼ均一にすることができ、十分な強度を確保することが可能となる。
【００１８】
以上説明したように、本実施形態に係る草刈り用ナイロンコード１０は、短手方向における第１の方向に突出する突出部１２Ａを長手方向に複数形成してなる第１草刈り刃１２と、第１の方向とは異なる第２の方向に突出する突出部１４Ａを長手方向に複数形成してなる第２草刈り刃１４と、を有して構成されていることを特徴とする、草刈り用ナイロンコードである。
【００１９】
本実施形態に係る草刈り用ナイロンコード１０によれば、第１草刈り刃と第２草刈り刃を有するため、従来よりも切れ味を高め、様々なタイプの草に対して十分な切れ味を発揮することができる。
【００２０】
また、第１草刈り刃１２の突出部１２Ａおよび第２草刈り刃１４の突出部１４が、長手方向において千鳥状に配置されているため、十分な切れ味を確保しながらも、草刈り用ナイロンコード１０の太さを長手方向のほぼ全域に亘って均一にすることができ、従来よりも草刈り用ナイロンコード１０の強度を高めることができる。
【００２１】
また、第２草刈り刃１４の突出部１４が突出する第２の方向は、第１草刈り刃１２の突出部１２Ａが突出する第１の方向に対して１８０度反対の方向であるため、草刈り用ナイロンコード１０を使用する際に草刈り用ナイロンコード１０がぶれることがなく、切れ味を十分に発揮することができる。
【００２２】
また、複数の突出部１２Ａ、１４Ａは、短手方向断面が多角形状（例えば、四角形状）のナイロンコードの角の一部を削ることによって形成されるため、突出部の加工が容易である上に、製造コストを抑えることができる。また、角の一部を残すことによって突出部の形状を鋭利に形成することが容易であり、切れ味を増大させることができる。
【００２３】
なお、本考案に係る草刈り用ナイロンコードは、上記実施形態に係る草刈り用ナイロンコード１０の構成に限定されるものではなく、本考案の要旨を逸脱しない範囲内において種々変更を加え得ることは勿論である。
【００２４】
例えば、本発明に係る「突出部」の形成方法は、上記実施形態で示した例に限定されず、円柱形状のナイロンコードを基材とし、この基材の外周面に、所定の間隔を空けて千鳥状に（互い違いの位置に）複数の突出部（例えば、のこぎりの歯のようなもの）を突出形成してもよい。このような形成方法とすれば、突出部の形状の自由度を高めることができ、様々なタイプの草に合せて突出部を形成することが可能となる。
【００２５】
また、本発明に係る「突出部」の形状も、上記実施形態で示した形状に限定されるものではなく、例えば、図３に示すように、突出部の先端部の形状をより鋭角な形状にしてもよい。このような形状とすれば、より切れ味を高めることができる場合がある。
【００２６】
また、本発明に係る「突出部」の配置も、上記実施形態で示した配置に限定されるものではなく、例えば、図４に示すように、第１草刈り刃１２の突出部１２Ａおよび第２草刈り刃１４の突出部１４Ａを、長手方向において同じ位置に配置してもよい。
【００２７】
また、図５および図６に示す草刈り用ナイロンコード２０のように、第１の方向に突出する突出部２２Ａを長手方向に複数形成してなる第１草刈り刃２２と、第２の方向に突出する突出部２４Ａを長手方向に複数形成してなる第２草刈り刃２４の他に、第１の方向および第２の方向とは異なる第３の方向に突出する突出部２６Ａを長手方向に複数形成してなる第３草刈り刃２６と、第１の方向、第２の方向および第３の方向とは異なる第４の方向に突出する突出部２８Ａを長手方向に複数形成してなる第４草刈り刃２８をさらに備え、第１草刈り刃２２の突出部２２Ａ、第２草刈り刃２４の突出部２４Ａ、第３草刈り刃２６の突出部２６Ａ、および第４草刈り刃２８の突出部２８Ａを、草刈り用ナイロンコード２０の長手方向において千鳥状に配置してもよい。
【００２８】
このような構成とすれば、強度を確保しながらも、切れ味をさらに高めることが可能となる。なお、草刈り刃の数は、２つや４つに限定されるものではなく、３つまたは５つ以上であってもよい。
【産業上の利用可能性】
【００２９】
本考案に係る草刈り用ナイロンコードは、コード型草刈り装置に適用することができる。
【符号の説明】
【００３０】
１０、２０  草刈り用ナイロンコード
１２、２２  第１草刈り刃
１４、２４  第２草刈り刃
２６  第３草刈り刃
２８  第４草刈り刃
１２Ａ、１４Ａ、２２Ａ、２４Ａ、２６Ａ、２８Ａ  突出部
【図１】
0003149886.tif 000003
【図２】
0003149886.tif 000004
【図３】
0003149886.tif 000005
【図４】
0003149886.tif 000006
【図５】
0003149886.tif 000007
【図６】
0003149886.tif 000008